(57)【要約】【課題】より望ましい姿勢で簡便かつ確実にヘアスプレー剤を髪に噴霧することができるヘアスプレー容器を提供する。【解決手段】ヘアスプレー容器は、容器本体と、導出路部と、スプレーノズル１６と、押下ボタン１８を備える。スプレーノズル１６は、長さＬが２〜５ｃｍに形成され、スプレーノズル１６の軸線と容器本体の軸線の挟角θ１が３０〜６０度になるように設けられるとともに、噴出通路４２にブレークアップ機構４４を備える。押下ボタン１８は、接続部１８ｃを支点とし、リブ３７を作用点とし、および操作部３８を力点として梃子の原理で動作する。操作部３８は、平面視で容器本体の一つの半径方向に設けられる。【選択図】図３
2010089828.tif 000002
【特許請求の範囲】
【請求項１】
ヘアスプレー剤を収容する円筒状の容器本体と、該ヘアスプレー剤を噴霧する噴出口と該噴出口に連通する噴出通路を有するスプレーノズルと、ステムが内蔵され、該噴出通路の該噴出口に連通する側とは反対側と該容器本体内を該ステムの上下動によって連通しまたは遮断するヘアスプレー剤導出路を有する導出路部と、指を当てて押下することにより該ステムが下動して該容器本体内と該噴出通路を連通させる押下ボタンを備えるヘアスプレー容器であって、
該スプレーノズルが、長さが２〜５ｃｍに形成され、該スプレーノズルの軸線と該容器本体の軸線の挟角が３０〜６０度になるように設けられるとともに、該噴出通路にブレークアップ機構を備え、
該押下ボタンが梃子の原理で動作するように構成され、該押下ボタンの上面に設けられ、指を当てて押下する操作部が、平面視で該容器本体の一つの半径方向に設けられることを特徴とするヘアスプレー容器。
【請求項２】
前記スプレーノズルの軸線と該容器本体の軸線の挟角を可変するスプレーノズル角度可変機構を有することを特徴とする請求項１記載のヘアスプレー容器。
【請求項３】
前記スプレーノズルの長さを可変するスプレーノズル長さ可変機構を有することを特徴とする請求項１記載のヘアスプレー容器。
【発明の詳細な説明】
【技術分野】
【０００１】
本発明は、容器本体に収容したヘアスプレー剤を髪に噴霧するヘアスプレー容器に関する。
【背景技術】
【０００２】
例えば、男性のヘアスタイル作りとして、ワックス等のヘアスタイリング剤を単品で用いてヘアをセットする方法に代えて、ヘアスタイリング剤とヘアスプレー（ヘアスプレー剤）を併用する方法が１つのトレンドとして志向されている。
【０００３】
ヘアスプレーは、例えばアクリル樹脂アルカノールアミン等の皮膜形成剤を主成分とし、これに皮膜に適度の可塑性を与える高級アルコール、ラノリン誘導体等が配合され、あるいは髪に光沢を与えるシリコーン油等が配合される。
ヘアスプレーを収容して用いるヘアスプレー容器は、ヘアスプレーとともにＬＰＧ等の高圧ガスが噴射剤として充填される。ヘアスプレー容器は、通常、容器の底面に対して水平方向に（平行に）、言い換えれば通常円筒状に形成される容器の軸線と直交する方向にヘアスプレーを噴出するように噴出口（スプレー口、スパウト）が設けられ、また、通常、噴出口は、押下ボタンの側面に形成される。
使用時にヘアスプレー容器の押下ボタンを押し下げることにより、微細なヘアスプレーが髪に噴霧（スプレー）される。
【０００４】
ヘアスタイリング剤とヘアスプレーを併用する場合、ヘアスプレーは、例えば、毛束の根元（生え際）に、毛束の内側から、言い換えれば頭の皮膚と毛束の間から噴霧され、あるいは頭頂の毛髪を立ち上げた箇所の内側に噴霧される。
このとき、上記した通常のヘアスプレー容器では、毛髪の所望の部位に的確にヘアスプレーを噴霧することは必ずしも容易ではなく、また、ヘアスプレー容器が髪に触れる等して取扱が煩雑となる。さらにまた、このような不具合を少しでも解消しようとして、ヘアスプレー容器を横に傾け、あるいは天地逆にして用いると、押下ボタンの操作姿勢が不安定となり、また、ヘアスプレー剤の噴霧パターンを柔らかに広がった霧状（ファインミスト）とすることが阻害され、さらには噴射剤のみが噴出してヘアスプレーがほとんど噴出しない現象やヘアスプレーが液垂れする現象（アフターブロー）も起こりえる。
【０００５】
上記の不具合を改善するために、スプレー方向がスプレー容器の上方となるように噴霧ノズル体の噴口の軸方向がスプレー容器の長手方向に対して０度以上９０度未満の範囲に設けられ、かつ、噴霧ノズル体の周囲に環状の押圧部材が設けられ、その押圧部材の上面である押圧面の任意の部位を押圧することにより噴口から毛髪処理剤がスプレーされる毛髪化粧料（毛髪化粧料容器）が提案されている。この毛髪化粧料によれば、毛髪処理剤を任意の角度と方向から簡便に噴霧することが可能となるとされている（特許文献１参照）。
【特許文献１】特開平９−１２４３４号公報
【発明の開示】
【発明が解決しようとする課題】
【０００６】
しかしながら、上記特許文献１の毛髪化粧料（毛髪化粧料容器）は、望ましい姿勢で簡便かつ確実に毛髪処理剤（ヘアスプレー剤）を髪に噴霧するうえで、必ずしも十分ではないものと思われる。
【０００７】
本発明は、上記の課題に鑑みてなされたものであり、より望ましい姿勢で簡便かつ確実にヘアスプレー剤を髪に噴霧することができるヘアスプレー容器を提供することを目的とする。
【課題を解決するための手段】
【０００８】
本発明に係るヘアスプレー容器は、ヘアスプレー剤を収容する円筒状の容器本体と、該ヘアスプレー剤を噴霧する噴出口と該噴出口に連通する噴出通路を有するスプレーノズルと、ステムが内蔵され、該噴出通路の該噴出口に連通する側とは反対側と該容器本体内を該ステムの上下動によって連通しまたは遮断するヘアスプレー剤導出路を有する導出路部と、指を当てて押下することにより該ステムが下動して該容器本体内と該噴出通路を連通させる押下ボタンを備えるヘアスプレー容器であって、
該スプレーノズルが、長さが２〜５ｃｍに形成され、該スプレーノズルの軸線と該容器本体の軸線の挟角が３０〜６０度になるように設けられるとともに、該噴出通路にブレークアップ機構を備え、
該押下ボタンが梃子の原理で動作するように構成され、該押下ボタンの上面に設けられ、指を当てて押下する操作部が、平面視で該容器本体の一つの半径方向に設けられることを特徴とする。
【０００９】
また、本発明に係るヘアスプレー容器は、好ましくは、前記スプレーノズルの軸線と該容器本体の軸線の挟角を可変するスプレーノズル角度可変機構を有することを特徴とする。
【００１０】
また、本発明に係るヘアスプレー容器は、好ましくは、前記スプレーノズルの長さを可変するスプレーノズル長さ可変機構を有することを特徴とする。
【発明の効果】
【００１１】
本発明に係るヘアスプレー容器は、ヘアスプレー剤を噴霧するスプレーノズルが、長さが２〜５ｃｍに形成され、かつ容器本体の軸線との挟角が３０〜６０度になるように設けられるとともに、噴出通路にブレークアップ機構を備えるため、毛束の内側にヘアスプレー剤を噴霧するとき、望ましい姿勢で簡便かつ確実にヘアスプレー剤を髪に噴霧することができる。また、このとき、ヘアスプレー剤と噴射剤が分離してヘアスプレー剤の噴霧状態が不良になるおそれや、ヘアスプレー剤が噴出通路等を閉塞するおそれが小さい。
また、本発明に係るヘアスプレー容器は、押下ボタンが梃子の原理で動作するように構成され、押下ボタンの上面に設けられ、指を当てて押下する操作部が、平面視で容器本体の一つの半径方向に設けられるため、押下ボタンを押下する力が小さくて済み、これにより例えばヘアスプレーの噴霧量や噴霧時間を微調整することができ、また、操作部に指を添えてヘアスプレー容器を使用することで、例えば、鏡を見てスプレーノズルの先端の方向や位置を確認する等を行わなくてもスプレーノズルを容易に位置決めすることができる。
【発明を実施するための最良の形態】
【００１２】
本発明の実施の形態（以下、本実施の形態という。）について説明する。
【００１３】
まず、本実施の形態に係るヘアスプレー容器について、図１〜図７を参照して説明する。
【００１４】
図１は、本実施の形態に係るヘアスプレー容器１０の容器本体部分の外側面とスプレーノズル等の断面を一図に示したものである。
ヘアスプレー容器１０は、容器本体１２と、導出路部１４と、スプレーノズル１６と、押下ボタン１８を備える。また、ヘアスプレー容器１０は、保管時にスプレーノズル１６等を保護するためのキャップ１９が設けられている。
【００１５】
容器本体１２は、ヘアスプレー剤に対する耐食性を確保するために内面をコーティングしたアルミニウムやブリキ等の金属やＰＥＴ等の樹脂等、適宜の材料を用い、所定の耐圧性を確保するために必要な厚みに形成される。
ヘアスプレー容器１０には、ヘアスプレー剤が収容される。ヘアスプレー容器１０の収容容積は、例えば１００〜３００ｍｌ程度である。ヘアスプレー剤は、前記したように、例えばアクリル樹脂アルカノールアミン等の皮膜形成剤を主成分とし、これに皮膜に適度の可塑性を与える高級アルコール、ラノリン誘導体等を配合し、あるいは髪に光沢を与えるシリコーン油等を配合する。ヘアスプレー容器１０には、ヘアスプレー剤とともにＬＰＧ等の高圧ガスが噴射剤として充填される。
【００１６】
導出路部１４は、ヘアスプレー剤の噴射状態や噴射量を制御する装置であり、通常バルブといわれるものである。
導出路部１４は、図２に示すように、ステム２０が内蔵され、詳細を後述するスプレーノズル１６の噴出通路の噴出口に連通する側とは反対側と容器本体１２の内部をステム２０の上下動によって連通しまたは遮断するヘアスプレー剤導出路２２を有する。ヘアスプレー剤導出路２２は、ハウジング２６内のヘアスプレー剤２８の通路３０と、ステム２０の内部に形成されるヘアスプレー剤２８の通路３２で構成される。通路３０の上部および通路３２の下部には、それぞれ開孔３１ａ、３１ｂが形成されている。
図２は、ヘアスプレー容器１０を使用していないときの状態を示す図であり、ステム２０が、容器本体側に設けられるハウジング２６とステム２０の間に設けられるバネ２４によって上方に付勢されて、開孔３１ａおよび開孔３１ｂが隔絶しているため、通路３０と通路３２の連通が遮断されている。
ヘアスプレー容器１０を使用するときに、バネ２４の付勢力を超える力で押下ボタン１８を押し下げることにより、押下ボタン１８に当接するステム２０が下方に付勢されて、開孔３１ａおよび開孔３１ｂの位置が一致することにより通路３０と通路３２が連通され、ヘアスプレー剤２８が通路３２からスプレーノズル１６に流入する。
なお、導出路部１４言い換えればバルブは、図示以外の適宜の構造のものを採用することができる。
【００１７】
図３〜図７を参照して、スプレーノズル１６および押下ボタン１８について説明する。
まず、押下ボタン１８について図３〜図５を参照して説明する。図３は、図５中ＩＩＩ−ＩＩＩ線上断面を示す図である。
押下ボタン１８は、中空に形成され、下部に、ステム２０を挿通する開口２３を残して形成される底面２１を有する。底面２１には、突起部３５とストッパ３６が内向き（上向き）に突設される。押下ボタン１８は、突起部３５に係止して固定される固定部１８ａと、可動部１８ｂを有する。また、押下ボタン１８は、図３中左斜め上方向に向けて立設される筒部１８ｄを備える。
固定部１８ａと可動部１８ｂは、ほぼ全周にわたって形成されるスリット３４で分離されるとともに、接続部１８ｃのみで接続される。筒部１８ｄの下方には、筒２５が下垂され、筒２５はステム２０の上部を外嵌する。また、筒２５の上部内側面に複数の縦長のリブ３７が設けられ、リブ３７の下端がステム２０の上面に当接する。筒２５のリブ３７が設けられた箇所の内部空間３９は、通路３２に連通し、ヘアスプレー剤の通路となる。
可動部１８ｂの表面に設けられる操作部３８に指を添えて押し下げることにより、接続部１８ｃを支点とて可動部１８ｂが下動し、これにより、リブ３７に当接するステム２０が下動する。押し下げられた可動部１８ｂは、ストッパ３６に当接して動きを停止する。
【００１８】
つぎに、さらに図６および図７を参照してスプレーノズル１６について説明する。図６は、ブレークアップ機構について、図７中ＶＩ−ＶＩ線上断面を示す図である。
筒部１８ｄは、スプレーノズル１６の外筒となる。筒部１８ｄには、ロッド４１が内挿され、筒部１８ｄおよびロッド４１の間の隙間が噴出通路４２となる。噴出通路４２は、内部空間３９に連通する。ロッド４１の上部は段差状に縮径され、ロッド４１の下部は、筒部１８ｄの下部に内向きに突設される突設部３３と一体化され、これによりロッド４１が支持される。ロッド４１の上端面にブレークアップ機構４４が配置され、さらに、筒部１８ｄの上部が、噴出通路４２に脚部４３ａを嵌入したノズル部材４３で閉塞される。ノズル部材４３は、中心に噴出口４０を有する。
ブレークアップ機構４４は、噴出口４０でヘアスプレー剤を旋廻して渦を形成する作用を奏する機構である。
ブレークアップ機構４４は、平板状部材で形成され、中心に開口４６が形成されるとともに、片面の開口４６の周囲三方に平面視扇形状の突起４８ａ〜４８ｃが設けられる。各突起４８ａ〜４８ｃの間には、開口４６とは偏心した位置に流出口を有する３つの溝部４９が形成される。ブレークアップ機構４４は、突起４８ａ〜４８ｃが設けられた上記片面をロッド４１に向けて、ロッド４１とノズル部材４３の間に配置される。開口４６は、噴出口４０に連通する。
筒部１８ｄおよび筒部１８ｄ内に設けられる上記の各部材でスプレーノズル１６が構成される。なお、これに限らず、スプレーノズル１６を適宜の構成とし、また、押下ボタン１８と分離独立して設けてもよいことは言うまでもない。
【００１９】
内部空間３９から噴出通路４２に流入するヘアスプレー剤は、溝部４９ａ〜４９ｃを通過して旋回流となって開口４６に流入し、噴出口４０から噴射される。
ブレークアップ機構４４により、ヘアスプレー剤の噴霧パターンを柔らかに広がった霧状（ファインミスト）とすることができ、また、ヘアスプレー剤の液垂れ（アフターブロー）を防止することができる。また、ヘアスプレー剤が噴出口４０を閉塞するおそれが小さい。
なお、ブレークアップ機構は、上記に限らず、適宜の周知の構造のものを用いることができる。
【００２０】
以上説明した、押下ボタン１８およびスプレーノズル１６の特徴点についてさらに説明する。
まず、押下ボタン１８について説明する。
押下ボタン１８は、例えばＰＰ樹脂等の適宜の材料で形成することができる。なお、以下に説明する他の部材についても同様である。
押下ボタン１８は、接続部１８ｃを支点とし、リブ３７を作用点とし、および可動部１８ｂの上面に設けられ、平面視で容器本体１２の一つの半径方向に設けられる指を当てて押下する操作部３８を力点とする、いわゆる第２種梃子の原理で動作する。このため、押下ボタン１８（可動部１８ｂ）を押下する力が小さくて済む。また、これにより、例えば髪の所定の部位に噴霧するヘアスプレーの噴霧量や噴霧時間を微調整することができる。なお、押下ボタン１８は、上記第２種梃子の原理で動作するものである限り、他の適宜の構造とすることができる。
また、後述するようにスプレーノズル１６は、押下ボタン１８の操作部３８に対して平面視で容器本体１２の反対側の半径方向に固定して設けられているため、操作部３８に指を添えてヘアスプレー容器１０を使用することで、例えば、鏡を見てスプレーノズル１６の先端の方向や位置を確認する等を行わなくてもスプレーノズル１６を毛髪の所定の部位に対して容易に位置決めすることができる。なお、操作部３８とスプレーノズル１６の配置は、図示のように平面視で１８０度反対の位置のみでなく、必要に応じて適宜の位置関係とすることができる。
操作部３８に無数の突起や突条を形成しておくと、操作部３８を操作する指の滑り止めを図るうえで、より好ましい。
【００２１】
つぎに、スプレーノズル１６の特徴点について説明する。
スプレーノズル１６は、長さＬが２〜５ｃｍに形成される。スプレーノズル１６の径は、特に限定するものではなく、例えば、直径で１〜２ｃｍ程度とすることができる。
スプレーノズル１６は、長さＬが２〜５ｃｍであるため、例えば、毛束の根元（生え際）に、毛束の内側から、言い換えれば頭の皮膚と毛束の間から噴霧するときや、あるいは頭頂の毛髪を立ち上げた箇所の内側に噴霧するときに、毛髪の所望の部位に的確にヘアスプレー剤２８を噴霧することができる。このとき、スプレーノズル１６の長さＬが２ｃｍ未満であると、短すぎて毛束の内側にヘアスプレー剤を噴霧するときの操作性に支障をきたすおそれがあり、一方、長さＬが５ｃｍを越えると、長すぎて、使用時のヘアスプレー容器の操作性に支障をきたし、また使用しないときにかさばって保管に支障をきたすおそれがある。
また、スプレーノズル１６は、スプレーノズル１６の軸線と容器本体１２の軸線の挟角θ１が３０〜６０度になるように設けられる。これにより、容器本体１２を立てた自然な姿勢で毛髪の所望の部位に的確にヘアスプレー剤２８を噴霧することができる。挟角θ１が３０度未満であると、毛髪の所望の部位に的確にヘアスプレー剤２８を噴霧するのに支障を生じるおそれがあるとともに、特に、ヘアスプレー剤２８が噴射剤と分離して、噴霧状態が悪化するおそれがある。一方、挟角θ１が６０度を越えると、毛髪の所望の部位に的確にヘアスプレー剤２８を噴霧するのに支障を生じるおそれがある。
【００２２】
つぎに、本実施の形態に係るヘアスプレー容器１０の２つの変形例である変形例１および変形例２について説明する。
変形例１のヘアスプレー容器は、図８および図９に示すように、スプレーノズル１６の軸線と容器本体１２の軸線の挟角θ２を可変するスプレーノズル角度可変機構を有する。
変形例１の１つの実施形態である、図８に示す変形例１−１では、スプレーノズル角度可変機構は、スプレーノズル１６と押下ボタン１８の接合部が適度の可撓性と剛性を兼ね備える樹脂で形成した蛇腹構造５２で構成される。これにより、スプレーノズル１６を動かして挟角θ２を所望の値に調整して、固定することができる。
また変形例１の他の１つの実施形態である、図９に示す変形例１−２では、スプレーノズル角度可変機構は、スプレーノズル１６と押下ボタン１８の接合部がボールジョイント型のユニバーサルジョイント構造５４で構成され、ユニバーサルジョイント構造５４の下部は、筒部１８ｄの上端部に内嵌めされる。ユニバーサルジョイント構造（ボール部）５４の内部には、噴出通路４２とヘアスプレー剤導出路２２を連通させるための通路５６が形成される。これにより、スプレーノズル１６を動かして挟角θ２を所望の値に調整して、固定することができる。
なお、スプレーノズル角度可変機構は、これら以外の適宜の構造を採用してもよい。
変形例１のスプレーノズル角度可変機構により、使用者の好みに応じて、あるいは、ヘアスプレー剤を噴霧する頭髪の部位に応じて挟角を調整することができて好ましい。
【００２３】
変形例２のヘアスプレー容器は、図１０および図１１に示すように、スプレーノズルの長さを可変するスプレーノズル長さ可変機構を有する。
変形例２の１つの実施形態である、図１０に示す変形例２−１では、スプレーノズル長さ可変機構は、押下ボタン１８のスプレーノズル部１６ａに着脱可能に外嵌めして用いる円筒状のアタッチメント１６ｂで構成される。
また、変形例２の１つの実施形態である、図１１に示す変形例２−２では、スプレーノズル長さ可変機構は、２段のスプレーノズル部１６ｃ、１６ｄを有し、スプレーノズル部１６ｄは、伸縮可能にスプレーノズル部１６ｃに内嵌めされる。スプレーノズル部１６ｄをスプレーノズル部１６ｃから適当な長さ分引き出すことによりスプレーノズル１６の長さを調製することができる。
なお、スプレーノズル長さ可変機構は、これら以外の適宜の構造を採用してもよい。
変形例２のスプレーノズル角度可変機構により、使用者の好みに応じて、あるいは、ヘアスプレー剤を噴霧する頭髪の部位に応じてスプレーノズルの長さを調整することができて好ましい。
【図面の簡単な説明】
【００２４】
【図１】本実施の形態に係るヘアスプレー容器の部分側面および部分断面を示す図である。
【図２】導出路部の構成を説明するための図である。
【図３】スプレーノズルおよび押下ボタンの断面図である。
【図４】スプレーノズルおよび押下ボタンをほぼ真横方向から見た斜視図である。
【図５】スプレーノズルおよび押下ボタンを斜め上方向から見た斜視図である。
【図６】スプレーノズルの部分断面図である。
【図７】ブレークアップ機構の斜視図である。
【図８】変形例１−１を説明するための図である。
【図９】変形例１−２を説明するための図である。
【図１０】変形例２−１を説明するための図である。
【図１１】変形例２−２を説明するための図である。
【符号の説明】
【００２５】
１０  ヘアスプレー容器１０
１２  容器本体
１４  導出路部
１６  スプレーノズル
１６ａ、１６ｃ、１６ｄ  スプレーノズル部
１６ｂ  アタッチメント
１８  押下ボタン
１８ａ  固定部
１８ｂ  可動部
１８ｃ  接続部
１８ｄ  筒部
１９  キャップ
２０  ステム
２１  底面
２２  ヘアスプレー剤導出路
２４  バネ
２５  筒
２６  ハウジング
２８  ヘアスプレー剤
３５  突起部
３６  ストッパ
３７  リブ
３８  操作部
３９  突設部
４０  噴出口
４１  ロッド
４２  噴出通路
４３  ノズル部材
４３ａ  脚部
４４  ブレークアップ機構
４８ａ〜４８ｃ  突起
５２  蛇腹構造
５４  ユニバーサルジョイント構造
【図１】
2010089828.tif 000003
【図２】
2010089828.tif 000004
【図３】
2010089828.tif 000005
【図４】
2010089828.tif 000006
【図５】
2010089828.tif 000007
【図６】
2010089828.tif 000008
【図７】
2010089828.tif 000009
【図８】
2010089828.tif 000010
【図９】
2010089828.tif 000011
【図１０】
2010089828.tif 000012
【図１１】
2010089828.tif 000013